(57)【要約】【課題】水平精度を容易に確保して施工が簡単で合理的な建物の基礎構造形成方法を提供する。【解決手段】コンクリートにより形成される基礎梁１の上部に、柱及び床パネルを含む上部躯体構造を支持する土台構造と備える建物の基礎構造形成方法であって、土台構造の設置及び位置調整を完了させた後、当該土台構造の下方にコンクリートを打設して基礎梁１を形成する。【選択図】    図５
2010255407.tif 000002
【特許請求の範囲】
【請求項１】
コンクリートにより形成される基礎梁の上部に、柱及び床パネルを含む上部躯体構造を支持する土台構造と備える建物の基礎構造形成方法であって、
前記土台構造の設置及び位置調整を完了させた後、
当該土台構造の下方にコンクリートを打設して前記基礎梁を形成する
ことを特徴とする建物の基礎構造形成方法。
【請求項２】
前記土台構造を設置及び位置調整する工程は、
前記上部躯体構造を構成する柱の設置位置に対応させて土台を構成する複数の支柱を配置し、
各支柱の高さを調整して全ての支柱の天端を同一レベルに設定し、その後、
隣り合う支柱間に梁を架設する
ことを特徴とする請求項１に記載の建物の基礎形成方法。
【請求項３】
前記土台構造を設置及び位置調整する工程は、
隣り合う前記支柱の間に前記上部躯体構造のモジュールに合わせて規格化された鉄筋籠を配置し、
支柱の間に設けられることで当該支柱から所定距離離隔した状態で互いに隣り合う鉄筋籠の端部どうしを複数の縦筋及び帯筋によって接合して基礎梁の配筋を行う工程をさらに備えている
ことを特徴とする請求項２に記載の建物の基礎形成方法。
【発明の詳細な説明】
【技術分野】
【０００１】
本発明は、地盤の地耐力の大きさに対応させた基礎を容易に且つ簡単な施工で構成することが出来る建物の基礎構造形成方法に関するものである。
【背景技術】
【０００２】
基礎の接地面積や設置深さは、建物の重量と該建物を支持する地盤の地耐力に応じて設計される。即ち、建物の基礎は、前記条件に応じて予め設定された設置深さに対応した深さ及び地表面からの立ち上がり高さを持った基礎梁と、基礎梁の下端部分に設けられ予め設定された接地面積に対応した面積を持った下部フーチング部と、からなる略凸字状或いはＬ字状の布基礎として構成されている。
【０００３】
上記布基礎は、最下部フーチング部の幅寸法に対応した幅寸法で且つ基礎梁及びフーチング部の設置深さに対応した深さで地面を掘削し、掘削した面に所定の地業を行なった後、フーチング部に対応させた型枠を構成してコンクリートを打設し、更に、フーチング部の上部に基礎梁に対応させた型枠を構成してコンクリートを打設することで、フーチング部と基礎梁を一体化させた略凸字状或いはＬ字状に構成される。
【０００４】
木造建物の場合、基礎梁の地表面からの立ち上がり寸法は、法規により30cm〜40cmに規定されている。また構造耐力上安全が確かめられている場合、基礎の地表面からの立ち上がり寸法に対する法的な規定はないが、床下の湿気や他の条件等の問題を考慮して木造建物と同様な範囲に設定しているのが一般的である。
【０００５】
また建物の基礎構造として、基礎伏図に区画された平面内に鉄筋を配筋した後、コンクリートを打設したベタ基礎を構成することもある。このベタ基礎構造では、布基礎の場合と比較して基礎の深さを浅くすることが出来、土壌の掘削量を減少させて排土処理を軽減することも出来るという利点がある。
【発明の概要】
【発明が解決しようとする課題】
【０００６】
上記略凸字状或いはＬ字状の基礎では、型枠を施工する際にフーチング部と梁部とに夫々対応させたものが必要であり、且つ型枠にコンクリートを打設した直後の天端レベルの均し調整については、フーチング部では鉄筋のかぶり厚さを確保するために、また梁部では上部躯体の水平精度を確保するために、当該均し調整を慎重に行なう必要があり、手間がかかるという問題がある。
【０００７】
本発明の目的は、水平精度を容易に確保して施工が簡単で合理的な建物の基礎構造形成方法を提供することにある。
【課題を解決するための手段】
【０００８】
上記課題を解決するために本発明に係る建物の基礎構造形成方法は、コンクリートにより形成される基礎梁の上部に、柱及び床パネルを含む上部躯体構造を支持する土台構造と備える建物の基礎構造形成方法であって、前記土台構造の設置及び位置調整を完了させた後、当該土台構造の下方にコンクリートを打設して前記基礎梁を形成することを特徴とするものである。
【０００９】
上記建物の基礎構造形成方法に於いて、前記土台構造を設置及び位置調整する工程は、前記上部躯体構造を構成する柱の設置位置に対応させて土台を構成する複数の支柱を配置し、各支柱の高さを調整して全ての支柱の天端を同一レベルに設定し、その後、隣り合う支柱間に梁を架設することが好ましい。
【００１０】
また、上記建物の基礎形成方法に於いて、前記土台構造を設置及び位置調整する工程は、隣り合う前記支柱の間に前記上部躯体構造のモジュールに合わせて規格化された鉄筋籠を配置し、支柱の間に設けられることで当該支柱から所定距離離隔した状態で互いに隣り合う鉄筋籠の端部どうしを複数の縦筋及び帯筋によって接合して基礎梁の配筋を行う工程をさらに備えていることが好ましい。
【発明の効果】
【００１１】
本発明に係る建物の基礎形成方法によれば、コンクリートにより形成される基礎梁の上部に柱及び床パネルを含む上部躯体構造を支持する土台構造と備える建物の基礎構造を形成する際に、基礎梁のコンクリート打設に先行して土台構造をレベル調整してくみ上げるので、基礎梁を現場打ちコンクリートによって構成したとき、各支柱の天端レベルは予め設定された精度を保持しており、改めてレベル出しを行なうことなく、柱を取り付けることが可能である。
【００１２】
上記建物の基礎構造形成方法に於いて、上部躯体構造を構成する柱の設置位置に対応させて土台を構成する複数の支柱を配置し、各支柱の高さを調整して全ての支柱の天端を同一レベルに設定し、その後、隣り合う支柱間に梁を架設することで、支柱と同様に梁のレベルも精度が保証され、上部構造の柱の取り付けに引き続き床パネルの取り付けを行なうことが可能である。
【００１３】
一般に上部躯体構造の柱の間隔は当該上部躯体構造に設定されたモジュール寸法に規制される。したがって、上記建物の基礎形成方法に於いて、隣り合う前記支柱の間に上部躯体構造のモジュールに合わせて規格化された鉄筋籠を配置し、支柱の間に設けられることで当該支柱から所定距離離隔した状態で互いに隣り合う鉄筋籠の端部どうしを複数の縦筋及び帯筋によって接合して基礎梁の配筋を行う工程をさらに備えていることで、鉄筋籠の長さも当該モジュール寸法に従って形成することにより規格化することができ、鉄筋籠を工場段階で製作しておくことが可能となり、品質の安定した信頼性の高い鉄筋籠とすることが可能である。さらには、鉄筋籠を用いて構成された基礎梁の信頼性をも高めることとなる。
【００１４】
一方、鉄筋籠をモジュールに従って予め形成することにより、鉄筋籠は支柱又は支柱設置領域を介して互いに離間することとなるが、当該鉄筋籠の端部どうしを現場にて縦筋及び帯筋により接合することとし、これによって、これら鉄筋籠の一体化が測られる。また、現場での接合作業は鉄筋籠の端部間どうしのみを行えばよく、現場作業の削減を図ることができるものとなっているのである。
【図面の簡単な説明】
【００１５】
【図１】第１の構成例に係る基礎構造の全体構成を説明する斜視図である。
【図２】第１の構成例に係る基礎構造の断面図である。
【図３】第２の構成例に係る基礎構造の全体構成を説明する図である。
【図４】第２の構成例に係る基礎構造の断面図である。
【図５】基礎構造及び該基礎の上部に構成される建物の一部との関係を説明する図である。
【図６】支柱の例を説明する図である。
【図７】支柱とコンクリート基礎梁とを一体化させる構造を説明する図である。
【図８】外壁の下部とコンクリート基礎梁との間を化粧する構成を説明する図である。
【発明を実施するための形態】
【００１６】
以下、上記建物の基礎構造の好ましい実施形態について説明する。第１の基礎構造は、コンクリートにより形成される断面が四角形の基礎梁を目的の建物の基礎伏図に従って構築するものであり、断面が四角形であることから、コンクリートを打設する際の型枠の単純化をはかると共に配筋の単純化をはかることが可能である。
【００１７】
第１の基礎構造に於いて、基礎梁の幅方向の寸法は、建設地盤の地耐力に対して建物荷重と基礎底部接地面積との関係で決定される。即ち、地耐力が小さい場合、幅寸法を大きくすることで接地面積を確保し、接地圧が許容地耐力内になるように設計される。また基礎梁の高さ方向の梁成は、上部建物に作用する水平力に抵抗できるだけの根入れ深さを確保して設計され、且つ土砂の流出を防ぐ機能をも有する。
【００１８】
上記基礎梁を構成する場合、型枠施工する際には、断面が矩形であるため、側面の堰板を用意すれば良く、また根切り幅も大きくとる必要はない。従って、施工性が向上し作業が簡単となる。また断面形状が単純なため、掘削，埋め戻し土量を軽減することが可能となる。
【００１９】
また第２の基礎構造は、地耐力が小さく、前述の第１の基礎構造に於ける基礎梁の底部の面積が不足した場合、フーチング部により接地面積を確保し、許容地耐力内に設計することを可能としたものである。
【００２０】
この基礎構造は、基礎梁の側面であって地表面に対応する部位にフーチング部又はベタ基礎の底盤（以下、単に「ベタ基礎部」という）を構成すると共にこれらのフーチング部，ベタ基礎部を基礎梁と一体化させて構成したものである。この基礎構造では、基礎梁に一体化させたフーチング部或いはベタ基礎部によって基礎全体の接地面積を確保することが可能であり、フーチング部，ベタ基礎部の面積を建築現場の地耐力に応じて適宜設定することで、地耐力の変化に対応することが可能である。
【００２１】
またフーチング部，ベタ基礎部を基礎梁の上端側に対応させた位置に構成することによって、基礎梁の設置深さ或いは根切り深さを深くさせる場合であっても、この深さに関わらずフーチング部，ベタ基礎部の深さを略一定とすることが可能であり、従って、土砂の掘削量が大幅に増大するようなことがない。更に、基礎の接地面積を変化させる場合であっても基礎梁の幅寸法を変更する必要がなく、単にフーチング部，ベタ基礎部の寸法を設定することで基礎の接地面積の変化に対応することが可能である。
【００２２】
従って、地耐力の変化に関わらず、基礎梁に対応する部位を一定の幅で掘削することが可能となり、該基礎梁の標準化をはかることが可能となる。またフーチング部，ベタ基礎部を形成する際には対応する地表面を掘削すれば良く、この掘削深さは、基礎梁の下端にフーチング部を形成する構造と比較して極めて土砂の掘削量を削減することが可能である。
【００２３】
基礎梁の側面にフーチング部，ベタ基礎部を形成したとき、基礎梁の天端とフーチング部の天端，ベタ基礎部の天端は夫々同一平面内に配置されている。地表面から基礎梁の天端までの距離は特に限定するものではないが、この距離が大きくなるとフーチング部，ベタ基礎部の厚さを厚くするか、或いは地表面に上に盛り土が必要となる。このため、地表面と基礎梁の天端までの距離は小さいことが好ましく、フーチング部，ベタ基礎部の厚さは、前記距離に数センチを加えた程度に設定することが好ましい。
【００２４】
基礎梁とフーチング部，ベタ基礎部との関係をこのように設定することで、地面の掘削深さを浅くして容易に施工することが可能となる。
【００２５】
フーチング部，ベタ基礎部を設けた基礎梁を構成する場合、該基礎梁の側面を形成するために型枠を利用することが好ましい。基礎梁に於けるフーチング部，ベタ基礎部を形成することのない面では、繰り返し使用が可能な鋼製型枠や使い捨ての型枠を用いることが可能であるが、フーチング部，ベタ基礎部を形成する面ではコンクリートを打設した後、型枠を取り外すことが不可能である。このため、基礎梁に於けるフーチング部，ベタ基礎部の下方には埋め殺し用の型枠が配置される。しかし、基礎梁を形成する際に必ずしも型枠を用いる必要はなく、地盤の掘削面をそのまま型枠の代わりに利用することも可能である。この場合、基礎梁とフーチング部，ベタ基礎部との接合部位を直角とすることが可能であり、或いはハンチを形成することも可能である。
【００２６】
上記の如く構成された基礎では、基礎梁の天端とフーチング部の天端，ベタ基礎部の天端が同一面内に配置される。このため、基礎の天端のレベル出しが容易であり、該基礎の上部に建物の躯体を取り付けるための土台を組み立てることが容易となる。前記土台は、特に材料，構成，形状を限定するものではない。即ち、土台を構成する材料として鉄骨で良く、通常躯体の梁に使用されるＩ型，Ｈ型断面の鋼材、或いは線材（縦横材）でフレームを組んだもので構成しても良い。
【００２７】
また基礎を構成する基礎梁の所定位置には、土台を構成する柱部材や躯体を構成する柱等を取り付ける取付部を設けておくことが好ましい。この取付部の構造は特に限定するものではなく、基礎梁の鉄筋に固定したアンカーボルトや、鉄筋と一体化させた支柱であることが好ましい。
【００２８】
次に、上記各基礎構造の好ましい構成例について図を用いて説明する。図１は第１の構成例に係る基礎構造の全体構成を説明する斜視図である。図２は第１の構成例に係る基礎構造の断面図である。図３は第２の構成例に係る基礎構造の全体構成を説明する図である。図４は第２の構成例に係る基礎構造の断面図である。図５は基礎構造及び該基礎の上部に構成される建物の一部との関係を説明する図である。図６は支柱の例を説明する図である。図７は支柱とコンクリート基礎梁とを一体化させる構造を説明する図である。図８は外壁の下部とコンクリート基礎梁との間を化粧する構成を説明する図である。
【００２９】
先ず、図１，図２により第１の構成例に係る基礎Ａの構造について説明する。本構成例に係る基礎Ａは、断面が四角形の基礎梁１を目的の建物の基礎伏図に従って設置して構成されたものである。即ち、基礎梁１は基礎Ａの各通り（基礎Ａの外周部分の外通り、図１のロ字状の外通り、外通りの内側の中通り、図１の十字状の中通り）毎に設置され、他の通りに設置された他の基礎梁１と当接する部位では、夫々の鉄筋２を互いに連結することで接続されている。
【００３０】
特に、基礎梁１は、目的の建物を建築する敷地に於ける地盤の地耐力、目的の建物の重量に対抗するために最適な幅寸法を有し、且つ基礎梁１が予め該基礎梁１に設定された許容撓みの範囲以上の歪みを生じることがなく、更に、この建物に作用することが想定される水平力に対し充分に対抗し得る高さ寸法を有する四角形断面に形成されている。
【００３１】
即ち、基礎梁１は断面が正方形，長方形を含む四角形（方形）の形状を持って形成されている。従って、目的の地盤の地耐力の大きさに対応させて幅寸法及び高さ寸法を設定することで、信頼性の高い基礎Ａを構築することが可能である。このような断面形状を持った基礎梁１では、現場での地業が終了した後、コンクリートを打設する際の型枠の形状が単純となり施工が容易である。
【００３２】
また基礎梁１の所定位置にはアンカーボルト３が配置されており、基礎Ａの上部に構築される土台Ｃ（後述する基礎Ｂと共通して構築され、上部に目的の建物の躯体が建築される）を構成する支柱を固定し得るように構成されている。尚、後述するように、基礎梁１に土台Ｃを構成する支柱Ｅを埋設することで一体化しても良い。
【００３３】
上記の如く構成された基礎Ａでは、基礎梁１の断面形状が単純な四角形であるため、型枠の形状が単純になり、施工性が向上する。またコンクリートを一度打設することで、基礎を構成することが可能であり、工程上の煩雑さを低減し、作業性を向上することが可能である。
【００３４】
次に、図３，図４により第２の構成例に係る基礎Ｂの構造について説明する。図に示す基礎Ｂは断面が四角形の基礎梁１を目的の建物の基礎伏図に従って設置したものであり、地盤の地耐力が変化した場合、基礎梁１の幅寸法を変更することなく、基礎梁１の側面であって地表面に対応する部位に、フーチング部４（図４（ａ）参照）又はベタ基礎部５を一体的に形成することで、地耐力に対応した接地面積を満足し得るように構成されている。
【００３５】
即ち、予め基礎梁１の幅寸法を標準的な値に設定しておき、目的の建物を建築すべき敷地の地耐力が小さい場合、基礎梁１の幅寸法を大きくすることなく、地耐力に対応し得る接地面積をフーチング部４，ベタ基礎部５を形成することで実現したものである。従って、フーチング部４の面積或いはベタ基礎部５の面積は、基礎梁１の面積を補完する値となり、一義的に設定し得るものではない。
【００３６】
フーチング部４，ベタ基礎部５は、基礎梁１の側面であって地表面ＧＬに対応した位置に設けられ、基礎梁１の天端１ａとフーチング部４の天端４ａ，ベタ基礎部５の天端５ａは夫々同一平面内に配置されている。地表面ＧＬから基礎梁１の天端１ａまでの距離は特に限定するものではない。しかし、前記距離が大きくなるとフーチング部４，ベタ基礎部５の厚さが厚くなってコンクリートの無駄が生じる。このため、地表面ＧＬと基礎梁１の天端１ａまでの距離を約10cm程度とし、フーチング部４，ベタ基礎部５の厚さを12cm〜18cm程度の範囲に設定することが好ましい。
【００３７】
このような基礎Ｂでは、地面を掘削する際に、基礎梁１に対応する部位では地耐力に対応させて深さを深くすることがあっても幅を広くする必要はない。またフーチング部４，ベタ基礎部５に対応する部位を掘削する場合、地面を僅かに掘削すれば良く、基礎梁１の深さに対応させて深くする必要がない。従って、地耐力が小さい場合であっても、土砂の掘削量が大幅に増大することがなく、掘削作業を進める場合に有利である。
【００３８】
基礎梁１の側面に一体的に形成されたフーチング４，ベタ基礎５には夫々横鉄筋６が配筋されている。この横鉄筋６は基礎梁１の鉄筋２を配筋する際に、該鉄筋２の上部に固着されて一体化しており、基礎梁１とフーチング部４，ベタ基礎部５に同時にコンクリートを打設することで強固に一体化している。
【００３９】
尚、第２の構成例に係る基礎Ｂでは、基礎梁１の鉄筋２にアンカーボルト３を取り付けて固定し、このアンカーボルト３に土台Ｃの支柱を締結し得るように構成している。
【００４０】
上記の如く構成された基礎Ｂでは、基礎梁１の標準化をはかり、且つ地耐力が小さい場合であっても、土砂の掘削量を大幅に増大させることがない。
【００４１】
次に、上記基礎Ａ，Ｂを用いて鉄骨造の土台Ｃを構成した例について図１，図５〜図８により説明する。前述したように、土台Ｃは基礎Ａ，Ｂの何れであっても利用することが可能であるが、以下の例では、代表して基礎Ａを利用した場合について説明する。
【００４２】
従って、以下の説明に於いて基礎梁１にはフーチング部４，ベタ基礎部５は形成されていないが、他の構成は全て基礎Ｂに適用することが可能である。このため、図３に示す基礎Ｂに於いて以下説明する構成と同一の構成を有する部位及び同一の機能を有する部位には同一の符号を付すものとする。
【００４３】
本構成例は、基礎梁１の少なくとも端部に、建物の躯体を構成する柱Ｄの直下に配置されて該柱Ｄを支持する支柱Ｅを取り付けるための脚部Ｆを形成し、この脚部Ｆに支柱Ｅを一体的に取り付けることで構成されている。即ち、図１，５に示すように、少なくとも端部に脚部Ｆを形成した基礎梁１が配置され、該脚部Ｆに支柱Ｅを一体的に取り付けて構成されている。ここで、基礎梁１は基礎Ａに於ける直線状の部分に対応して設定されたものであり、図１では個々の基礎梁１の両端部及び中間部に支柱Ｅが配置されている。従って、各方向の基礎梁１は交差する部位に配置された支柱Ｅを共有することとなる。特に、支柱Ｅは建物の躯体を構成する全ての柱Ｄの直下に配置されており、従って、脚部Ｆも全ての柱Ｄの位置に対応して配置される。
【００４４】
前述したように、基礎梁１は基礎Ａの各通り毎に設置され、他の通りに設置された基礎梁１と当接する部位では互いに接続されている。この基礎梁１の少なくとも端部に形成された脚部Ｆの形状は特に限定するものではなく、基礎梁１に於ける他の部位（支柱Ｅを取り付けることのない部位）と同一の形状であって良い。要するに脚部Ｆは支柱Ｅを一体的に取り付ける部位をいうものである。
【００４５】
基礎梁１は、少なくとも端部に１個の支柱Ｅを一体的に取り付けることが必須であるが、支柱Ｅの取付数を限定するものではない。図１に示すように、各通り毎の基礎梁１が夫々４個の支柱Ｅを取り付けることもある。このように、基礎梁１に取り付ける支柱Ｅの数は目的の建物に応じて異なり、一義的に設定し得るものではない。
【００４６】
例えば目的の建物を、鉄骨造２階建て、外壁パネル７としてＡＬＣ（軽量気泡コンクリート）パネルを用いたものとしたとき、基礎Ａは基礎梁１を用いることによって、地盤に対する基礎梁１の埋設深さは規定により27cmとなる。従って、基礎梁１の設置部位に沿って前記深さ以上に掘削し、該掘削部位に所定の地業を施して深さ27cm（フーチング部４を設ける場合、ベタ基礎部の場合は12cm）に設定している。しかし基礎梁１の高さをこの寸法に限定するものではなく、あくまでも地盤条件や建物の重量，想定された水平力等の条件に応じて設定すべきことは当然である。
【００４７】
支柱Ｅは目的の建物の躯体を構成する全ての柱Ｄの直下に配置され、柱Ｄと接続されて該柱Ｄに作用する垂直力や水平力を基礎梁１に伝達する機能を有する。このため、支柱Ｅは図６に示すように、柱Ｄを取り付けるための天板11と、上端が天板11に溶接等の手段で固着され該天板11に作用する力を基礎梁１に伝達する伝達部材12とを有して構成されている。また柱Ｄに作用する水平力に伴って支柱Ｅに作用する引抜き力によって、該支柱Ｅが基礎梁１から引き抜かれることを防止するために、支柱Ｅを構成する伝達部材12の下端側に引抜き防止部材13が配置されると共に両者が直接、或いは接続板14を介して一体的に接続されている。
【００４８】
支柱Ｅは柱Ｄを接続する機能に加えて、隣接する支柱Ｅの間に配置され、外壁パネル７や床パネル８を支持する受け梁21、玄関部やピロティ車庫に対応する下地梁22を取り付ける機能をも有する。このため、支柱Ｅを構成する天板11の天端レベルは、予め目的の建物に設定された床面レベルや床の構造等の条件に対応して設定される。特に、作業上、柱Ｄを取り付ける天板11の天端レベルと、床パネル８の底面を支持する受け梁21の天端レベルは一致していることが好ましい。また床面をＧＬから如何なる高さに設定するかは個々の建物に応じた設計上の問題であり、限定されるべきものではない。
【００４９】
本構成例では、床面のレベルに関わらず、天板11及び受け梁21の天端レベルをＧＬ＋40cmに設定している。この数値は、通常の床を構成して床下の通気を確保する上で一般的に用いられるものである。
【００５０】
このため、天板11及び受け梁21の天端と基礎梁１の天端１ａとの間には寸法差が生じ、受け梁21の高さ分を差し引いた隙間が形成される。この隙間は、床下の保守点検を行なう際に作業員が通過するための通路としての機能を発揮し、床下に入って行なう作業を容易に実施し得るようになる。
【００５１】
上記の如き機能を有する支柱Ｅに於いて、天板11には柱Ｄを取り付ける際に用いる図示しないボルトを挿通するためのボルト穴11ａが形成されている。
【００５２】
伝達部材12は作用することが想定される水平力に対して充分に対抗し得るように、断面が十字状で且つ充分な断面積を持って形成されており、十字状に形成された各片には所定の間隔を持って複数の穴12ａが形成されている。そして穴12ａを介して、外壁パネル７や床パネル８を支持する受け梁21、玄関部やピロティ車庫に対応する下地梁22が接続されている。
【００５３】
上記受け梁21と下地梁22とは、夫々天端レベルが異なる。このため、伝達部材12の片に予め複数の穴12ａを形成しておくことで、各梁21，22に設定された天端レベルに応じて最適な穴12ａを選択して利用することが可能である。
【００５４】
引抜き防止部材13は、伝達部材12に一体的に取り付けられて支柱Ｅに作用する引抜き力を基礎梁１に伝達する機能を有するものであり、一部が基礎梁１に係止されるような構造を持っている。引抜き防止部材13の基礎梁１に対する係止とは、該引き向き防止部材13が基礎梁１に埋設されて一体化する状態、及び基礎梁１の上部に載置された状態で該基礎梁１に埋設されたアンカーボルト３（第２の構成例に係る基礎Ｂ）、或いはアンカーナットに締結されて一体化する状態があり、これらの構造を支柱Ｅに作用する力に応じて適宜選択して構成することが可能である。
【００５５】
例えば、図６（ａ）に示す支柱Ｅでは、引抜き防止部材13は伝達部材12の断面寸法よりも充分に長いＨ形鋼によって構成されており、この引抜き防止部材13と伝達部材12の間に配置された接続板14を介して支柱Ｅと一体的に取り付けられている。即ち、伝達部材12の下端に接続板14が溶接されており、該接続板14と引抜き防止部材13とが溶接或いはボルト，ナットを用いて一体的に取り付けられている。
【００５６】
また同図（ｂ）に示す支柱Ｅでは、引抜き防止部材13は伝達部材12の平面寸法よりも充分に大きい寸法を持った平板によって構成されており、この引抜き防止部材13を伝達部材12の下端部に溶接することで一体的に取り付けられている。
【００５７】
更に、同図（ｃ）に示す支柱Ｅでは、引抜き防止部材13は天板11と略等しい寸法を持った複数の平板によって構成されており、これらの平板を伝達部材12の下端部及び下端部から上方へ所定寸法離隔した位置に溶接することで一体的に取り付けられている。
【００５８】
上記の如く、支柱Ｅ及び引抜き防止部材13の形状や構造は特に限定するものではなく、基礎に於ける配置位置や建物の重量、作用する垂直力及び水平力等の力の大きさに応じて適宜設定することが可能である。特に、隅部に配置される支柱Ｅに対して取り付ける引抜き防止部材13は、図１に示すように、各通りの基礎梁１に対応させて平面形状がＬ字状に形成される。
【００５９】
上記基礎Ａでは、支柱Ｅに伝達された柱Ｄに作用する垂直力は基礎梁１によって支持される。このとき、基礎梁１が力を伝達するのに必要な幅寸法を有し、且つ全幅にわたって高さが一定であるため、垂直力は均等に地盤に伝達されて支持される。即ち、基礎梁１に作用する反力は均等となる。このため、垂直力に作用によって基礎梁１に圧縮力が作用してもこの力を安定して支持することが可能であり、基礎梁１が部分的に破壊するようなことがない。
【００６０】
また支柱Ｅに対し、柱Ｄに作用する水平力に起因する該支柱Ｅを基礎梁１から引き抜く方向の力が作用したとき、支柱Ｅを構成する伝達部材12に直接或いは接続板14を介して取り付けた引抜き防止部材13が基礎梁１に一体的に取り付けられているため、該引抜き防止部材13の剪断強度或いは引張強度によって対抗することが可能であり、支柱Ｅが基礎梁１から引き抜かれたり、倒れたりすることがない。
【００６１】
次ぎに、基礎梁１に埋設する鉄筋２の構成や受け梁21と基礎梁１との緊結構造について具体的に説明し、合わせて建物の基礎構造形成方向の実施例に係る施工手順について説明する。基礎Ａ，Ｂを構築する場合、先ず、目的の建物が設計される。従って、以下の説明では、既に建物の設計が終了し、柱の位置や玄関等の位置が決定され、且つ基礎伏図に従って現場の地業及び位置出しも終了したものとする。
【００６２】
先ず、建物の躯体を構成する柱Ｄの設置位置に対応させて土台Ｃを構成する支柱Ｅを配置する。このとき、各支柱Ｅ毎にレベル出し用のＰＣ板23を設置し、このＰＣ板23に夫々支柱Ｅを立ち上げて配置する。このとき、夫々の支柱Ｅは伝達部材12の下端側に引抜き防止部材13が一体的に取り付けられている。前記ＰＣ板23は支柱Ｅと共に基礎梁１に埋設される。このため、引抜き防止部材13を含む支柱Ｅの高さは、天板11の天端の高さと基礎梁１の高さを加えた値からＰＣ板23の厚さを差し引いた寸法に設定される。
【００６３】
尚、各柱Ｅのレベル出しを行なう場合、レベル出しの基準板として必ずしもＰＣ板23を使用することに限定するものではなく、鋼板や他の類似の板を用いることが可能である。
【００６４】
全ての支柱Ｅの配置が終了した後、個々の支柱Ｅの天板11の高さを調整しつつ全ての支柱Ｅの天端を同一レベルに設定する。この状態で、個々の支柱ＥはＰＣ板23に埋設されている図示しないボルトにナットを締結することで仮固定される。
【００６５】
次いで、基礎梁１の設置部位に対応して鉄筋２を構成する鉄筋籠２ａを配置する。鉄筋籠２ａは予め工場段階で組み立てられ、或いは予め工場段階で製作した平網状の鉄筋を現場で立体的に組み立てて用いられる。この鉄筋籠２ａは長手方向に配置された複数の縦筋２ｂと、これらの縦筋２ｂを接合する帯筋（剪断補強筋）２ｃとによって構成されている。
【００６６】
鉄筋籠２ａは幅寸法及び高さ寸法は、予め設定された基礎梁１の断面寸法に対応して設定され、長さは基礎梁１の長さの如何に関わらず、基礎梁１に配置される隣接した支柱Ｅ間の距離に応じて設定されている。即ち、鉄筋籠２ａを隣接する支柱Ｅの間に配置したとき、この鉄筋籠２ａは両端が支柱Ｅに届かず、該支柱Ｅから所定距離離隔した位置を保持する。
【００６７】
一般に柱Ｄの間隔は建物に設定されたモジュール寸法に規制される。このため、鉄筋籠２ａの長さもモジュール寸法によって規制されることとなり、規格化することが可能となる。従って、鉄筋籠２ａを工場段階で製作しておくことが可能となり、品質の安定した信頼性の高い鉄筋籠２ａとすることが可能である。このことは、鉄筋籠２ａを用いて構成された基礎梁１の信頼性をも高めることとなる。
【００６８】
鉄筋籠２ａを支柱Ｅの間に配置したとき、配置された鉄筋籠２ａの端部は支柱Ｅから離隔した位置にある。このため、支柱Ｅを中央として直線方向、或いはＬ字方向に夫々配置された鉄筋籠２ａを互いに接合することが必要である。この接合は、支柱Ｅを挟むようにして配置した複数の縦筋２ｄによって、鉄筋籠２ａの縦筋２ｂを接合すると共に帯筋２ｅによって縦筋２ｂを接合することで行なわれる。
【００６９】
上記の如くして支柱Ｅの設置と配筋を行なうことが可能である。ここで、支柱Ｅの天板11のレベルを設定する作業は、前述したように、必ずしも配筋作業を実施する以前に行なう必要はなく、配筋作業を実施した後行なっても良いことは当然である。
【００７０】
図７は、上記の如くして中通り及び外通りに夫々配置された支柱Ｅと鉄筋籠２ａ及び基礎梁１との関係を説明するものである。即ち、同図（ａ）は、中通りの基礎梁１に配置された支柱Ｅと鉄筋籠２ａの関係を示すものであり、支柱Ｅを幅方向の中央に配置すると共に該支柱Ｅを基準として基礎梁１の幅方向に鉄筋籠２ａの縦筋２ｂを振り分けて構成されている。また同図（ｃ）は支柱Ｅの構成が異なる以外は、（ａ）と同一の構成である。
【００７１】
同図（ｂ）は外通りの基礎梁１に配置された支柱Ｅと鉄筋籠２ａの関係を示すものであり、支柱Ｅは基礎梁１の外側に偏った位置に配置されるものの、鉄筋籠２ａは基礎梁１の略中央に配置されている。
【００７２】
特に、全ての支柱Ｅを配置した後であって基礎梁１を構築するコンクリートを打設する以前に、支柱Ｅに受け梁21，下地梁22を接続しておくことが好ましい。予め支柱Ｅに受け梁21，下地梁22を接続しておくことで、個々の支柱Ｅの安定性を確保することが可能である。
【００７３】
受け梁21は、外通りに配置された場合は外壁パネル７及び床パネル８を支持する機能を有し、中通りに配置された場合は床パネル８を支持する機能を有する。このため、受け梁21としては支持すべき外壁パネル７や床パネル８の重量に充分に耐え得る寸法を持ったＨ形鋼によって構成されている。
【００７４】
また受け梁21及び下地梁22は、夫々のウエブと支柱Ｅの伝達部材12の片を突き合わせると共にプレート25をボルト，ナット26によって締結することで接続されている。
【００７５】
受け梁21は床パネル８を支持するものであり、複数の床パネル８の端部が載置されるため、受け梁21には各床パネル８の荷重が作用して曲げが生じる。このため、受け梁21の長手方向の略中央の位置、或いは長手方向に複数の位置で基礎梁１に接続し、該基礎梁１によって受け梁21を支持することが好ましい。
【００７６】
本実施例では、図５に示すように、受け梁21の略中央に受け梁支持部材27を配置し、この受け梁支持部材27によって基礎梁１の天端１ａと受け梁21の下端を接続することで、受け梁21に作用する荷重を基礎梁１に伝達して支持し得るように構成されている。
【００７７】
受け梁支持部材27は、受け梁21に対する取付部位に作用する力に対抗し得る強度と受け梁21を介して伝達される水平力に対抗し得る曲げ強度及び曲げ剛性を有することが必要であり、前記強度を発揮し得るものであれば形状を限定するものではない。
【００７８】
このため、受け梁支持部材27は、受け梁21の下端と基礎梁１の天端１ａとの間に形成される隙間の寸法に対応する長さを有し、長手方向の両端に夫々フランジ27ａを形成した側面視がコ字状の本体と、フランジ27ａをスチフナ27ｂによって接続して構成されている。
【００７９】
受け梁支持部材27は、予め受け梁21の下フランジにボルト，ナット26によって或いは溶接によって固着され、自由端となる下側のフランジ27ａには予め基礎梁１に埋設される埋込ボルト28を取り付けている。
【００８０】
上記の如くして建物の躯体を構成する柱Ｄの直下に支柱Ｅを配置して天端レベルを調整し、且つ隣接する支柱Ｅの間に夫々鉄筋籠２ａを配置すると共に、配置された鉄筋籠を縦筋２ｄ，帯筋２ｅによって接続し、更に、隣接する支柱Ｅに間に受け梁21，下地梁22を配置すると共にプレート25によって接続した後、基礎梁１の設置位置に対応させて図示しない型枠を配置し、該型枠にコンクリートを打設する。
【００８１】
型枠に対するコンクリートの打設によって、引抜き防止部材13を含む支柱Ｅ，ＰＣ板23，鉄筋籠２ａ，受け梁支持部材27の下側のフランジ27ａに取り付けた埋込ボルト28は基礎梁１に埋設される。型枠に打設されたコンクリートは所定の養生期間を経過した後脱型され、これにより、前記各部材を埋設して一体化した基礎梁１を有する基礎Ａ，Ｂが構成される。
【００８２】
上記の如くして基礎梁１を現場打ちコンクリートによって構成したとき、各支柱Ｅの天端レベルは予め設定された精度を保持しており、改めてレベル出しを行なうことなく、柱Ｄを取り付けることが可能である。同様に受け梁21のレベルも精度が保証され、柱Ｄの取り付けに引き続き外壁パネル７，床パネル８の取り付けを行なうことが可能である。
【００８３】
建物として床下を常に開放した状態にしておくことは好ましくはないため、受け梁21に外壁パネル７を取り付ける際に化粧パネル29及びコーナーパネル30（図１参照）を取り付けている。
【００８４】
化粧パネル29，コーナーパネル30によって受け梁21と基礎梁１との間に構成された隙間を閉鎖するに際し、各パネル29，30を取り付ける構造は特に限定するものではない。例えば、化粧パネル29を支柱Ｅに取り付ける場合、図８に示すように、支柱Ｅの伝達部材12の片に形成した穴12ａにボルト，ナット26によってブラケット31を取り付け、該ブラケット31に化粧パネル29を取り付けることが可能である。またコーナーパネル30も同様にして支柱Ｅに取り付けることが可能である。
【００８５】
また化粧パネル29は軽量であることから、必ずしも直接支柱Ｅに取り付ける必要はなく、受け梁21のウエブ、或いは下フランジに図示しないステーを取り付けておき、このステーによって化粧パネル29を取り付けるように構成することも可能である。
【００８６】
前述の例では、引抜き防止部材13を含む支柱Ｅを、現場打ちコンクリートによって構成した基礎梁１に埋設して構成したが、必ずしも支柱Ｅを基礎梁１に埋設する必要はなく、支柱Ｅを基礎梁１の天端１ａに載置して一体的に取り付けても良い。
【００８７】
例えば、第２の構成例に係る基礎Ｂ（図３，４参照）に示すように、基礎梁１に於ける支柱Ｅを取り付ける部位には、予め基礎梁１の低部にベースプレート32が配置され、該ベースプレート32に一端が取り付けられると共に他端が基礎梁１を高さ方向に貫通して突出したアンカーボルト３が埋設されている。そしてアンカーボルト３に支柱Ｅの伝達部材12に溶接したプレート状の引抜き防止部材13が締結されることで、支柱Ｅは基礎梁１に一体的に取り付けられている。
【００８８】
従って、支柱Ｅに垂直力や水平力が作用した場合であっても、これらの力はアンカーボルト３，ベースプレート32を介して基礎梁１に伝達されて支持され、且つこれらの力によって基礎梁１が破壊したり、支柱Ｅが引き抜かれたり或いは倒れることがない。
【符号の説明】
【００８９】
Ａ，Ｂ                      基礎
Ｃ                          土台
Ｄ                          柱
Ｅ                          支柱
Ｆ                          脚部
１                          基礎梁
１ａ，４ａ，５ａ            天端
２                          鉄筋
３                          アンカーボルト
４                          フーチング部
５                          ベタ基礎部
６                          横鉄筋
７                          外壁パネル
８                          床パネル
11                          天板
11ａ                        ボルト穴
12                          伝達部材
12ａ                        穴
13                          引抜き防止部材
14                          接続板
21                          受け梁
22                          下地梁
23                          ＰＣ板
２ａ                        鉄筋籠
２ｂ，２ｄ                  縦筋
２ｃ，２ｅ                  帯筋
25                          プレート
26                          ボルト，ナット
27                          受け梁支持部材
27ａ                        フランジ
27ｂ                        スチフナ
28                          埋込ボルト
29                          化粧パネル
30                          コーナーパネル
31                          ブラケット
32                          ベースプレート
【図１】
2010255407.tif 000003
【図２】
2010255407.tif 000004
【図３】
2010255407.tif 000005
【図４】
2010255407.tif 000006
【図５】
2010255407.tif 000007
【図６】
2010255407.tif 000008
【図７】
2010255407.tif 000009
【図８】
2010255407.tif 000010